(57)【要約】【課題】  希釈空間を確保しつつ、レイアウトが制限される燃料電池自動車等に容易に搭載可能であり、しかも簡易な構成の燃料電池の排出ガス処理装置を提供する。【解決手段】  燃料電池２のアノードから排出された水素をカソードオフガスで希釈して排出する希釈器３０であって、燃料電池２、エゼクタ１２、パージ弁１３および加湿器２２を収容すると共に、内部に希釈空間３２を有する希釈器本体３１と、希釈空間３２内で上向きに水素を導入する配管１３ｂと、希釈空間３２の上部にカソードオフガスを導入する配管２２ｅと、を備え、希釈器本体３１はその下部に排出口３３を有している。【選択図】      図１
2007087692.tif 000002
【特許請求の範囲】
【請求項１】
燃料電池のアノードから排出された水素を希釈用ガスで希釈して排出する燃料電池の排出ガス処理装置であって、
前記燃料電池および当該燃料電池を発電させるためのデバイスの少なくとも一方を収容すると共に、内部に希釈空間を有する処理装置本体と、
前記希釈空間に前記水素を導入する水素導入手段と、
前記希釈空間に前記希釈用ガスを導入する希釈用ガス導入手段と、
を備えたことを特徴とする燃料電池の排出ガス処理装置。
【請求項２】
前記水素導入手段は、前記水素が前記希釈空間内で上向きに導入されるように構成されており、
前記処理装置本体は、その下部に排出口を有することを特徴とする請求項１に記載の燃料電池の排出ガス処理装置。
【請求項３】
前記希釈用ガス導入手段は、前記希釈用ガスが前記希釈空間の上部に導入されるように構成されていることを特徴とする請求項１または請求項２に記載の燃料電池の排出ガス処理装置。
【発明の詳細な説明】
【技術分野】
【０００１】
本発明は、燃料電池のアノードから排出された水素を希釈処理する燃料電池の排出ガス処理装置に関する。
【背景技術】
【０００２】
近年、水素がアノードに、酸素がカソードにそれぞれ供給されることで、電気化学反応が生じ発電する燃料電池の開発が盛んである。この燃料電池は、その発電電力によって走行する燃料電池自動車や、家庭用電源など広範囲で適用されつつあり、今後もその適用範囲の拡大が期待されている。このような燃料電池では、その出力を高めるために、アノードに消費される量以上の水素が供給される場合が多く、アノードから反応で余った未反応の水素が排出される。そこで、水素の利用効率を高めるべく、この排出された未反応の水素を水素供給側に戻し、水素を循環させる水素循環系を採用した技術が提案されている。
【０００３】
ところで、燃料電池が発電すると、カソードで水が生成し、この生成水の一部が固体高分子電解質膜（以下、電解質膜）をアノード側に透過する。その他、電解質膜の湿潤状態を確保して、電解質膜のプロトン（水素イオン）の拡散性（導電性）を高めるため、例えば、燃料電池のカソード側またはアノード側に供給されるガス（水素、酸素を含む空気など）を加湿する方法が採用されている。
【０００４】
したがって、水素循環系を採用する燃料電池システムの場合、燃料電池のアノード側では発電に伴って、循環する水素に同伴する水分量が高くなり、燃料電池の発電効率が低下する場合がある。そこで、このように水素に同伴する水分量が高くなった場合、これを一時的に排出することによって（これをパージという）、燃料電池の発電効率の回復が図られている。そして、このように排出された水素は、これを希釈するための希釈用ガス（カソードオフガス）と共に、希釈器（燃料電池の排出ガス処理装置）に導入され、希釈用ガスで希釈された後、外気中に排出される（特許文献１参照）。
【特許文献１】特開２００４−６１８３号公報（段落番号００４２〜００４４、図１）
【発明の開示】
【発明が解決しようとする課題】
【０００５】
しかしながら、特許文献１に記載される希釈器は、例えば、燃料電池自動車に搭載される場合、レイアウトが制限されるため、希釈器を小型化しなければならず、その結果として、希釈器内の希釈空間の容積が小さくなっていた。そして、このように希釈空間が小さくなると、例えば、一時的に大量の水素が希釈空間に導入された場合、（１）この水素が希釈されず希釈器を通り抜け、そのまま排出されたり、（２）希釈用ガスの導入ラインを逆流することを防止するため、希釈器の上流側／下流側に制御弁を設けたり、希釈器を水素が通り抜けにくい構造としなければならず、部品点数が増加する場合があった。
【０００６】
そこで、本発明は、このような問題を解決すべく、希釈空間を確保しつつ、レイアウトが制限される燃料電池自動車等に容易に搭載可能であり、しかも簡易な構成の燃料電池の排出ガス処理装置を提供することを課題とする。
【課題を解決するための手段】
【０００７】
前記課題を解決するための手段として、本発明は、燃料電池のアノードから排出された水素を希釈用ガスで希釈して排出する燃料電池の排出ガス処理装置であって、前記燃料電池および当該燃料電池を発電させるためのデバイスの少なくとも一方を収容すると共に、内部に希釈空間を有する処理装置本体と、前記希釈空間に前記水素を導入する水素導入手段と、前記希釈空間に前記希釈用ガスを導入する希釈用ガス導入手段と、を備えたことを特徴とする燃料電池の排出ガス処理装置である。
【０００８】
ここで、燃料電池を発電させるためのデバイス（機器）とは、例えば、エゼクタ、コンプレッサ、加湿器、各種弁（遮断弁、減圧弁、排出弁、背圧弁等）である。そして、処理装置本体は、燃料電池およびデバイスの少なくとも一方を収容すればよいことを意味する。
【０００９】
このような燃料電池の排出ガス処理装置（希釈器）によれば、燃料電池のアノードから排出された水素は、水素導入手段によって、処理装置本体（希釈器本体）の希釈空間に導入される。一方、希釈用ガス（カソードオフガス）は、希釈用ガス導入手段によって、希釈空間に導入される。そして、水素は希釈空間に拡散しつつ、希釈用ガスと混合することによって希釈され、水素濃度が低下した希釈ガスとなる。次いで、この希釈ガスは、処理装置本体の適宜な位置に形成された排出口を介して、外部に排出される。
【００１０】
ここで、処理装置本体は、燃料電池および燃料電池を発電させるためのデバイスの少なくとも一方を収容、つまり、燃料電池およびデバイスの少なくとも一方の全体を覆っており、処理装置本体内が希釈空間として機能するため、処理装置本体と前記少なくとも一方との隙間も希釈空間となる。
そして、例えば、処理装置本体が燃料電池を収容し、燃料電池が燃料電池自動車のフロアパネル下に搭載される場合、処理装置本体をフロアパネル下のスペース（燃料電池搭載スペース）に倣った形状とすることによって、本発明に係る希釈空間は、レイアウトの制限を考慮し小型化され、前記スペースに配置された従来の排出ガス処理装置の希釈空間よりも、大きくすることができる。
すなわち、本発明に係る排出ガス処理装置は、レイアウトが制限される燃料電池自動車などに、希釈空間の容量を小さくせずに、容易に搭載することができる。
【００１１】
このように本発明によれば、希釈空間を大容量とすることができるため、大量の水素が導入されたとしても、希釈用ガスで確実に希釈した後に、排出することができる。すなわち、水素の通り抜けや、水素の希釈用ガス導入ラインへの逆流を防止するため、各種制御弁を設けたり、処理装置本体内にリブ等を設けて水素の通り抜け防止構造とする必要がない。したがって、本発明に係る燃料電池の排出ガス処理装置は、部品点数を減らすと共に、簡易な構成とすることができる。
【００１２】
また、本発明に係る排出ガス処理装置によって、燃料電池と、これに付随するデバイス（加湿器、エゼクタなど）を収容すれば、燃料電池と前記デバイスとがパッケージ化されるため、燃料電池およびデバイスの取り扱いが容易となる。
【００１３】
また、本発明に係る水素導入手段は、前記水素が前記希釈空間内で上向きに導入されるように構成されており、前記処理装置本体は、その下部に排出口を有することを特徴とする。
【００１４】
ここで、水素が希釈空間内で上向きに導入されるとは、後記する実施形態のように、鉛直上向きに限定されず、水平方向より上向きであればよいことを意味する。
そして、このような燃料電池の排出ガス処理装置によれば、水素が希釈空間内で上向きに導入され、排出口が処理装置本体の下部に位置する構成であるため、比重の小さい軽い水素が希釈空間を吹き抜け（通り抜け）にくくなり、水素を希釈用ガスで希釈した後に排出することができる。
【００１５】
また、希釈空間における水素の導入位置は、後記する実施形態のように、希釈空間の上部に限らず、希釈空間の下部であってもよい。希釈空間の上部とは、希釈空間を鉛直方向において２等分した場合、希釈空間の鉛直上側部分を意味する。一方、処理装置本体の下部とは、処理装置本体を鉛直方向において２等分した場合、処理装置本体の鉛直下側部分を意味する。特に、水素の導入位置を希釈空間の上部とした場合、水素の吹き抜けをさらに防止することができる。
【００１６】
さらに、排出口は、後記する実施形態のように、処理装置本体の鉛直下方ほど、その数が多くなる構成であることが好ましい。このようにすれば、希釈空間の中央部での水素の排出を抑制しつつ、希釈空間の下部に到達し、好適に希釈された水素を効率的に排出することができる。
【００１７】
また、本発明に係る前記希釈用ガス導入手段は、前記希釈用ガスが前記希釈空間の上部に導入されるように構成されていることを特徴とする。
【００１８】
このような燃料電池の排出ガス処理装置によれば、比重が小さく軽いため、希釈空間の上部に集まりやすい水素を、前記上部に導入される希釈用ガスで効率的に希釈することができる。
【発明の効果】
【００１９】
本発明によれば、希釈空間を確保しつつ、レイアウトが制限される燃料電池自動車等に容易に搭載可能であり、しかも簡易な構成の燃料電池の排出ガス処理装置を提供することができる。
【発明を実施するための最良の形態】
【００２０】
以下、本発明の一実施形態について、図１を参照して説明する。図１は、本実施形態に係る希釈器（燃料電池の排出ガス処理装置）を備える燃料電池システムの構成を示す図である。
【００２１】
≪燃料電池システムの構成≫
本実施形態に係る燃料電池システム１は、燃料電池自動車に搭載されている。燃料電池システム１は、燃料電池２の出力端子（図示しない）に接続した走行用のモータ（図示しない）を備えており、燃料電池自動車は燃料電池２の発電電力によってモータを駆動し、走行するようになっている。
【００２２】
燃料電池システム１は、燃料電池２と、燃料電池２に対して水素（燃料ガス、反応ガス）を供給・排出するアノード系１０と、燃料電池２に対して酸素を含む空気（酸化剤ガス、反応ガス）を供給・排出するカソード系２０と、アノード系１０およびカソード系２０の下流位置でアノード系１０から排出された水素を希釈する希釈器３０（燃料電池の排出ガス処理装置）と、を主に備えている。
【００２３】
このような燃料電池システム１の構成要素のうち、燃料電池２と、アノード系１０のエゼクタ１２（デバイス）およびパージ弁１３（デバイス）と、カソード系２０の加湿器２２（デバイス）とは、希釈器３０に収容されている。希釈器３０は、燃料電池自動車のフロアパネルの下（床下）で、前後に伸びる車体のメインフレームに固定されている。また、希釈器３０内には後記するパージ時に水蒸気（水）が導入されるため、燃料電池２など希釈器３０に収容される機器は、シール、パッキンなどによって、その気密性（防水性）が高められている。
【００２４】
＜燃料電池＞
燃料電池２（燃料電池スタック）は、単セルが複数積層されることによって構成された固体高分子型燃料電池である。単セルは、電解質膜（固体高分子膜）の両面をアノード（燃料極）およびカソード（空気極）で挟んでなるＭＥＡ（Membrane Electrode Assembly：膜電極接合体）と、ＭＥＡを挟む一対のセパレータと、で構成されている。セパレータには、各単セルを構成するＭＥＡの全面に反応ガスを供給するための溝や、全単セルに水素、酸素を導くための貫通孔などが形成されており、これら溝などがアノード側流路３（反応ガス流路）、カソード側流路４（反応ガス流路）として機能している。すなわち、アノード側流路３には燃料ガスとしての水素が流通し、各アノードに供給されるようになっている。一方、カソード側流路４には、酸化剤ガスとして酸素を含む空気が流通し、各カソードに供給されるようになっている。
【００２５】
そして、燃料電池２のアノードに水素が、カソードに酸素を含む空気が、それぞれ供給されると、アノード、カソードに含まれる触媒（Ｐｔなど）上で電気化学反応が起こり、その結果、各単セルで電位差が発生するようになっている。そして、このように各単セルで電位差が発生した燃料電池２に対して、モータ（図示しない）などの外部負荷から発電要求があると、燃料電池２が発電するようになっている。
【００２６】
＜アノード系＞
アノード系１０は、水素が貯蔵された水素タンク１１と、エゼクタ１２と、パージ弁１３とを主に備えている。水素タンク１１は配管１１ａを介してエゼクタ１２に接続しており、エゼクタ１２は配管１２ａを介してアノード側流路３に接続している。配管１２ａには、燃料電池２側に向かって、遮断弁、減圧弁（ともに図示しない）が設けられており、遮断弁が開かれると、水素は減圧弁で減圧された後、燃料電池２に供給されるようになっている。
【００２７】
一方、アノード側流路３の下流側には、配管１３ａ、パージ弁１３、配管１３ｂ、希釈器３０が順に接続されている。配管１３ａの途中位置は、配管１３ｃを介して、エゼクタ１２に接続されている。パージ弁１３は、燃料電池２を構成する単セルのセル電圧を監視する図示しないＥＣＵ（Electronic Control Unit、制御装置）と電気的に接続されている。そして、セル電圧が低く、燃料電池２のアノードから排出されたアノードオフガス中の水分量（つまり、アノード内の水分量）が高いと推定される場合（パージ時）、ＥＣＵによってパージ弁１３が開かれ、アノードオフガスが希釈器３０に送られるようになっている。一方、セル電圧が良好であることにより、アノードオフガス中の水分量が低いと推定される場合（水素循環時）、ＥＣＵによってパージ弁１３が閉じられ、未反応の水素を含むアノードオフガスがエゼクタ１２に戻される。その結果、水素が循環し効率的に利用されるようになっている。
【００２８】
＜カソード系＞
カソード系２０は、反応ガス供給装置であるコンプレッサ２１（スーパーチャージャ、反応ガス供給手段）と、加湿器２２と、オリフィス２３とを主に備えている。コンプレッサ２１は、外気を取り込んで圧縮し、酸化剤ガスとして燃料電池２のカソードに向けて送る機器であり、配管２１ａを介して加湿器２２に接続されている。加湿器２２は、例えば中空糸膜２２ａを内蔵しており、この中空糸膜２２ａによって、コンプレッサ２１からの空気と、燃料電池２のカソードから排出された水分量の高いカソードオフガス（空気オフガス）との間で水分交換し、コンプレッサ２１からの空気を加湿空気とする機器である。そして、加湿器２２は配管２２ｂを介してカソード側流路４に接続しており、加湿空気がカソード側流路４に供給されるようになっている。
【００２９】
一方、カソード側流路４の下流側には、配管２２ｃ、加湿器２２、配管２２ｄが順に接続されており、加湿器２２での水分交換により水分量が若干低下したカソードオフガスが、外部に排出されるようになっている。
配管２２ｄの途中には配管２２ｅが接続されており、カソードオフガスの一部（希釈用ガス）が配管２２ｅを介して希釈器３０に導入されるようになっている。また、配管２２ｅの接続点より下流側の配管２２ｄには、オリフィス２３が設けられ、その流路が絞られており、カソードオフガスの一部が希釈器３０に供給されやすくなっている。
【００３０】
＜希釈器の構成＞
次に、本実施形態に係る希釈器３０の構成について説明する。
希釈器３０（燃料電池の排出ガス処理装置）は、希釈器本体３１（処理装置本体）と、配管１３ｂ（水素導入手段）と、配管２２ｅ（希釈用ガス導入手段）とを主に備えている。希釈器３０（希釈器本体３１）は、前記したように、燃料電池自動車のフロアパネルの下で、前後に伸びる車体のフレームに適宜な手段で固定されている。
【００３１】
［希釈器本体］
希釈器本体３１は、燃料電池２、エゼクタ１２、パージ弁１３および加湿器２２を収容する箱体であって、その内部に希釈空間３２を有している。すなわち、希釈器本体３１によって、希釈空間３２と外部とは仕切られている。また、このように、燃料電池２、エゼクタ１２、パージ弁１３および加湿器２２は、希釈器本体３１に収容されたことでパッケージ化され、燃料電池自動車への搭載など、その取り扱いが容易となっている。
さらに、希釈器本体３１と燃料電池２等との隙間や、燃料電池２とエゼクタ１２との隙間など、希釈器本体３１内において、燃料電池２等や配管１２ａなどが存在しない空間は、全て希釈空間３２となっている。その結果として、希釈空間３２は大容量となっている。
さらにまた、希釈器本体３１は、希釈空間３２の水素が外部に漏れにくくするため、密閉性を有することが好ましい。
【００３２】
希釈器本体３１の外形は、燃料電池自動車のフロアパネル下に形成された空間に対応した形状を有している。これにより、フロアパネル下のスペースも、希釈空間３２として有効に利用して、大きな希釈空間３２を確保しつつ、燃料電池２、希釈器３０などのデバイスのレイアウトが制限されないようになっている。
希釈器本体３１は、例えば適宜な樹脂から形成され、燃料電池２から排出される温度の高いアノードオフガスやカソードオフガスに耐え得る耐熱性を備えている。
このような希釈器本体３１は、高い剛性を備える必要はなく、フロアパネル下のスペースに倣うことができるように、柔軟性を有する材質であってもよい。すなわち、希釈器本体３１は、燃料電池２などを覆うカバーであってもよい。
【００３３】
希釈器本体３１は、内部と外部を連通し、水素を含むアノードオフガスがカソードオフガス（希釈用ガス）によって希釈され生成される希釈ガスの排出口３３を複数有している。複数の排出口３３は、希釈器本体３１の鉛直方向の下部（側壁下部や底壁）に位置している。さらに、排出口３３の数は、下方に向かうにつれて、多くなっている。
【００３４】
［水素導入手段］
水素導入手段である配管１３ｂの下流開口は、希釈空間３２の上部に位置しており（図１参照）、未反応の水素を含むアノードオフガスが、希釈空間３２の上部に導入されるようになっている。また、配管１３ｂの下流開口は鉛直上方を向いており、アノードオフガスが希釈空間３２内で鉛直上向きに導入され、希釈器本体３１の上壁に吹き付けられるように構成されている。
【００３５】
［希釈用ガス導入手段］
希釈用ガス導入手段である配管２２ｅの下流開口は、希釈空間３２の上部に位置しており（図１参照）、カソードオフガスが希釈空間３２の上部に導入されるようになっている。
ただし、配管２２ｅの下流開口が、希釈空間３２の下部に位置しており、オフガスが希釈空間３２の下部に導入される構成であってもよい。このような構成であれば、希釈空間３２の下部で、水素を希釈し、その濃度を低下させることができる。
【００３６】
＜希釈器の作用効果＞
次に、このような希釈器３０の作用効果を説明する。
ＥＣＵがパージ弁１３を開くと、燃料電池２のアノードから排出された未反応の水素を含むアノードオフガスが、配管１３ｂを介して、希釈空間３２の上部であって、鉛直上向きに導入される。一方、燃料電池２のカソードから排出されたカソードオフガス（希釈用ガス）の一部は、配管２２ｅを介して、希釈空間３２の上部に導入されている。
【００３７】
そうすると、希釈空間３２では、アノードオフガス中の水素と、カソードオフガス（希釈用ガス）とが混合し、希釈ガスとなる。さらに説明すると、アノードオフガス中の水素は、カソードオフガスによって希釈され、水素濃度が低下する。
【００３８】
そして、このようにして生成した希釈ガスは、後から送り込まれるアノードオフガスおよびカソードオフガスに押され、希釈空間３２を降下し、複数の排出口３３から外部に排出される。ここで、複数の排出口３３は、希釈器本体３１の下方に形成されているため、アノードオフガス中の水素を十分に希釈した後に、排出口３３を介して排出することができる。
【００３９】
このように、本実施形態に係る希釈器３０によれば、水素を希釈空間３２の上部で、かつ、希釈器本体３１の上壁に吹き付けるように鉛直上向きに導入すると共に、この上部にカソードオフガスを導入することで、水素を確実に希釈した後、希釈器本体３１の下部に位置する排出口３３から排出することができる。すなわち、希釈空間３２内で水素を鉛直上向きに導入し、水素が希釈されてなる希釈ガスの排出口３３の位置を下方に位置させることにより、水素が軽いという特性を利用して、確実に希釈することができると共に、水素が希釈空間３２を希釈されず吹き抜けてしまうことを防止できる。
【００４０】
以上、本発明の好適な実施形態について説明したが、本発明は前記実施形態に限定されず、本発明の趣旨を逸脱しない範囲で、例えば次のように変更することもできる。
【００４１】
前記した実施形態では、燃料電池システム１が燃料電池自動車に搭載された場合について例示したが、燃料電池システムの使用態様はこれに限定されず、その他の移動体（船など）や、家庭用の据え置き型の燃料電池システムであってもよい。
【００４２】
前記した実施形態では、希釈器本体３１（処理装置本体）が、燃料電池２、エゼクタ１２、パージ弁１３および加湿器２２を収容する場合を例示したが、希釈器本体３１が収容する機器の種類はこれに限定されない。すなわち、希釈器本体３１が、コンプレッサ２１を収容する構成であってもよい。
【００４３】
前記した実施形態では、アノードオフガス中の未反応の水素を希釈するための希釈用ガスとして、燃料電池２のカソードから排出されたカソードオフガスを利用する場合を例示したが、希釈用ガスはこれに限定されず、例えば、希釈用ガスを導入するためのコンプレッサ等で外気を取り込み、これを希釈用ガスとして利用してもよい。
【００４４】
前記した実施形態では、カソードオフガスの一部を希釈用ガスとして希釈空間３２に導く配管２２ｅは、希釈器本体３１外の配管２２ｄに接続する構成としたが、希釈器本体３１内の配管２２ｄに接続する構成であってもよい。
【００４５】
前記した実施形態では、配管２２ｄと配管２２ｅの接続点の下流側にオリフィス２３を備え、カソードオフガスの一部が希釈用ガスとして希釈空間３２に導かれる構成としたが、その他に例えば、オリフィス２３に代えて可変オリフィスを設ける共に、この可変オリフィスをＥＣＵと接続し、ＥＣＵによるパージ弁１３の開と、可変オリフィスによる絞りとを連動させる構成としてもよい。その他、配管２２ｅ上に開閉弁を設け、パージ弁１３を開く場合、この開閉弁を開く構成としてもよい。
【図面の簡単な説明】
【００４６】
【図１】本実施形態に係る燃料電池システムの構成を示す図である。
【符号の説明】
【００４７】
１      燃料電池システム
２      燃料電池
１２    エゼクタ（デバイス）
１３    パージ弁（デバイス）
１３ｂ  配管（水素導入手段）
２２    加湿器（デバイス）
２２ｅ  配管（希釈用ガス導入手段）
３０    希釈器（燃料電池の排出ガス処理装置）
３１    希釈器本体（処理装置本体）
３２    希釈空間
３３    排出口
【図１】
2007087692.tif 000003